(57)【要約】【課題】薄型化を図れると共に操作性を良好にでき、衝撃音の発生を防ぐことができ、且つ部品点数を少なくして構造を簡素化できるスライド式電子部品を提供する。【解決手段】ケース１０の収納部１３内にスライド移動自在に設置された摺動型物３０を備え、摺動型物３０のスライド移動により電気的出力が変化するように構成したスライド式電子部品１において、摺動型物３０を所定位置に復帰させる弾発手段である板状の弾発バネ２０を備え、この弾発バネ２０にクリック弾接部２１を設け、ケース１０にクリック係合部１９を設けた。摺動型物３０がスライド移動すると、弾発バネ２０が撓んで弾発力を生じ摺動型物３０を所定位置に復帰させる力が働く一方、クリック弾接部２１がクリック係合部１９に係合してクリック感覚が生じる。【選択図】図１
2006344514.tif 000002
【特許請求の範囲】
【請求項１】
静止側部材に対してスライド移動自在に設置された摺動型物と、該摺動型物のスライド移動により電気的出力が変化する電気的機能部と、前記摺動型物を所定位置に復帰させる弾発手段とを備えたスライド式電子部品において、
前記弾発手段は、弾性を有し撓ませることで弾発力を生じる弾発バネであり、該弾発バネの一方の位置に前記摺動型物に係止される被係止部が設けられ、他方の位置に前記静止側部材に設けた当接部を当接させる被当接部が設けられ、さらにこの弾発バネは、前記摺動型物が所定位置からスライド移動すると、前記被当接部に静止側部材の当接部が当接して前記被係止部と前記被当接部との間の部分が撓むことで、摺動型物に所定位置に復帰する力が働く形状に構成されていることを特徴とするスライド式電子部品。
【請求項２】
請求項１に記載のスライド式電子部品において、
前記弾発バネにクリック弾接部を設けると共に、前記静止側部材に、前記摺動型物がスライド移動する際に前記クリック弾接部が係合してクリック感覚を生じるクリック係合部を設けたことを特徴とするスライド式電子部品。
【請求項３】
請求項２に記載のスライド式電子部品において、
前記弾発バネは、前記被係止部を挟んでその一方の側に前記被当接部を配置し、他方の側に前記クリック弾接部を配置していることを特徴とするスライド式電子部品。
【請求項４】
請求項１乃至３のいずれか１項に記載のスライド式電子部品において、
前記弾発バネは金属製の板バネで、該弾発バネは前記被係止部と前記被当接部との間の部分が湾曲した状態で設置されていることを特徴とするスライド式電子部品。
【発明の詳細な説明】
【技術分野】
【０００１】
本発明は、スライド式スイッチやスライド式可変抵抗器等のスライド式電子部品に関するものである。
【背景技術】
【０００２】
従来のスライド式電子部品は、例えば特許文献１に示すように、操作つまみを設けると共に摺動子を取り付けた摺動型物をケース内にスライド移動自在に収納すると共に、摺動子を摺接させるパターンを形成した回路基板をケースの下面などに取り付けて構成されている。このスライド式電子部品は、操作つまみを操作して摺動型物をケース内でスライド移動させると、摺動子がパターン上を摺接してその電気的出力が変化するようになっている。そして、スライド式電子部品は、操作つまみを移動させている力を取り除くと摺動型物が所定位置に自動復帰するように構成された弾発手段を備えている。従来この弾発手段には、特許文献１に示すような圧縮コイルバネが用いられている。ここで圧縮コイルバネとは、弾性を有する線材をコイル状に巻回して構成され、コイル軸方向に圧縮することで弾発力を生じるバネをいう。
【特許文献１】特開平８−２７３４８４号公報
【発明の開示】
【発明が解決しようとする課題】
【０００３】
ところが、スライド式電子部品の弾発手段に圧縮コイルバネを用いると以下のような問題がある。まず圧縮コイルバネは、そのコイル軸方向が摺動型物のスライド移動方向と平行になるようにスライド式電子部品に取り付けられるため、スライド式電子部品には少なくともその厚み方向に圧縮コイルバネの直径分の収納スペースが必要になり、この収納スペース分以上はスライド式電子部品の厚みを薄くできず、薄型化に限界がある。
【０００４】
また、圧縮コイルバネはコイル軸方向に圧縮する際に、その中間部分がコイル軸に対して垂直方向に膨らんで撓んでしまうことがある。このように撓むと、適正な弾発力を発揮できず、また撓んだ部分が圧縮コイルバネを保持している部材に当接し、これらのことから摺動型物を速やかに所定位置に復帰させることができないので、スライド式電子部品の操作性が悪くなってしまう。
【０００５】
さらに、図６（ａ）に示すように圧縮コイルバネ１００の端部は、その一部がケース等の静止側部材１１０の当接面１１１に、その他の部分が摺動型物１２０の当接面１２１に当接しており、図６（ｂ）に示すように摺動型物１２０を矢印方向へ移動させることによって圧縮コイルバネ１００が圧縮するが、この圧縮の際に、摺動型物１２０の当接面１２１に載っていた圧縮コイルバネ１００のバネ端１０１が、図６（ｃ）に示すように摺動型物１２０から外れることがあり、そのときバネ端１０１の次の端面１０３が摺動型物１２０の当接面１２１に強く衝突することで、大きな衝撃音が発生する場合がある。
【０００６】
一方、スライド式電子部品には、摺動型物のスライド移動の際にクリック感覚を生じるようにクリック係合手段を設けることがある。このクリック係合手段は、特許文献１に示すように、摺動型物と静止側部材のいずれか一方側に弾性金属板などの弾性を有する部材に形成したクリック弾接部を設け、他方側にクリック弾接部が弾接係合するクリック係合部を設けて構成される。ところがこのクリック係合手段は、上記の弾発手段とは別部品として設けられているため、その分スライド式電子部品の部品点数が多くなると共に構造が複雑になり、小型化や組み立ての簡単化が図れないという問題がある。
【０００７】
本発明は上述の点に鑑みてなされたものでありその目的は、薄型化を図れると共に操作性を良好にでき、衝撃音の発生を防ぐことができ、且つ部品点数を少なくして構造を簡素化できるスライド式電子部品を提供することにある。
【課題を解決するための手段】
【０００８】
上記課題を解決するため本願の請求項１に記載の発明は、静止側部材に対してスライド移動自在に設置された摺動型物と、該摺動型物のスライド移動により電気的出力が変化する電気的機能部と、前記摺動型物を所定位置に復帰させる弾発手段とを備えたスライド式電子部品において、前記弾発手段は、弾性を有し撓ませることで弾発力を生じる弾発バネであり、該弾発バネの一方の位置に前記摺動型物に係止される被係止部が設けられ、他方の位置に前記静止側部材に設けた当接部を当接させる被当接部が設けられ、さらにこの弾発バネは、前記摺動型物が所定位置からスライド移動すると、前記被当接部に静止側部材の当接部が当接して前記被係止部と前記被当接部との間の部分が撓むことで、摺動型物に所定位置に復帰する力が働く形状に構成されていることを特徴とする。
【０００９】
また、本願の請求項２に記載の発明は、請求項１に記載のスライド式電子部品において、前記弾発バネにクリック弾接部を設けると共に、前記静止側部材に、前記摺動型物がスライド移動する際に前記クリック弾接部が係合してクリック感覚を生じるクリック係合部を設けたことを特徴とする。
【００１０】
本願の請求項３に記載の発明は、請求項２に記載のスライド式電子部品において、前記弾発バネは、前記被係止部を挟んでその一方の側に前記被当接部を配置し、他方の側に前記クリック弾接部を配置していることを特徴とする。
【００１１】
本願の請求項４に記載の発明は、請求項１乃至３のいずれか１項に記載のスライド式電子部品において、前記弾発バネは金属製の板バネで、該弾発バネは前記被係止部と前記被当接部との間の部分が湾曲した状態で設置されていることを特徴とする。
【発明の効果】
【００１２】
本願の請求項１に記載の発明によれば、スライド式電子部品において、摺動型物を所定位置に復帰させる弾発手段として、弾性を有し撓ませることで弾発力を生じる弾発バネを用いたので、圧縮コイルバネを用いた場合よりも弾発手段の収納スペースの厚さ方向の寸法を小さくでき、スライド式電子部品の薄型化が図れる。また、弾発バネに摺動型物に係止される被係止部と静止側部材の当接部を当接させる被当接部とを設け、摺動型物が所定位置からスライド移動すると静止側部材の当接部が弾発バネの被当接部に当接して弾発バネの被係止部と被当接部との間の部分が撓むことで摺動型物に所定位置に復帰する力が働くように構成したので、弾発手段の構造が簡単になり、スライド式電子部品の構造の簡素化が図れる。また、弾発手段に圧縮コイルバネを用いた場合にコイル軸に対して垂直方向に撓んでしまうように適正な弾発力を発揮できなくなるおそれがないので、スライド式電子部品の動きが良好になる。また、摺動型物のスライド移動の際に圧縮コイルバネのようにバネ端が他の部材に衝突するおそれがないので、スライド式電子部品の操作時に衝撃音が発生しない。
【００１３】
本願の請求項２に記載の発明によれば、弾発バネにクリック弾接部を設けると共に、静止側部材に、摺動型物がスライド移動する際にクリック弾接部が係合してクリック感覚を生じるクリック係合部を設けたので、従来は別部品であった弾発手段とクリック感覚を生じるクリック係合手段とを一部品である弾発バネだけで構成できて、スライド式電子部品の部品点数が削減され、その構造の簡素化、小型化、及び組み立ての簡単化を図ることができる。
【００１４】
本願の請求項３に記載の発明によれば、弾発バネは、被係止部を挟んでその一方の側に被当接部を配置し、他方の側にクリック弾接部を配置した構成なので、一部品である弾発バネにおいて、被係止部を挟んでその両側でそれぞれクリック係合手段によるクリック感覚を生じる動作と、弾発手段による摺動型物を所定位置に復帰させる動作とを独立した別の動作として行わせることができるので、スライド式電子部品の動きが良好になると共にその操作性が向上する。
【００１５】
本願の請求項４に記載の発明によれば、弾発バネは金属製の板バネで、その被係止部と前記被当接部との間の部分が湾曲した状態で設置されているので、弾発バネの設置スペース（特に、そのスライド方向の設置スペース）を節約できて、スライド式電子部品の小型化が図れる。
【発明を実施するための最良の形態】
【００１６】
以下、本発明の実施形態を図面に基づいて詳細に説明する。
〔第１実施形態〕
図１は、本発明の一実施形態（第１実施形態）にかかるスライド式電子部品を上側から見た分解斜視図である。同図に示すようにスライド式電子部品は、ケース１０と、弾発バネ２０と、摺動型物３０と、摺動子４０と、操作つまみ５０と、フレキシブル回路基板６０と、取付部材７０とを具備して構成されている。以下、各構成部品について説明する。なお、以下で静止側部材とは、摺動型物３０のスライド移動に対して静止している各部材を指し、上記の各構成部品では、ケース１０とフレキシブル回路基板６０と取付部材７０がこの静止側部材である。また以下の説明では、摺動型物３０のスライド移動方向である各図の矢印Ａで示す直線方向をＡ方向と呼び、このスライド移動方向に直交する方向である各図の矢印Ｂで示す直線方向をＢ方向と呼ぶ。
【００１７】
静止側部材の一つであるケース１０は、金属板などで構成され、Ａ方向を長手方向とする略長方形の平板状に形成された上面部１１と、上面部１１の四辺に連接し下方に略直角に折り曲げられた側壁１２ａ〜１２ｄとを備えた形状に形成されて、下面側に側壁１２ａ〜１２ｄで囲まれた凹状の収納部１３を有している。上面部１１の所定位置には、Ａ方向が長手方向である略長方形状の開口部１４が設けられ、該開口部１４のＢ方向の一辺には、舌片状の突起を下方に折り曲げて構成される当接部（弾発バネ当接部）１５が形成されている。一方、Ａ方向に平行な両側壁１２ａ，１２ｂの下端には、下方に伸びる細片状の固定部１６が二個ずつ設けられている。また、側壁１２ｂのＡ方向の中間部付近には、Ａ方向を長手方向とする長方形状の開口部１７が形成されている。この開口部１７は、側壁１２ｂの上下方向中間付近から上端まで達し、さらに上面部１１の内側途中まで連続して開口する切欠き形状に形成されている。一方、側壁１２ａには、Ａ方向に沿って二個の矩形状の開口部１８ａ，１８ｂを並べて設け、これら開口部１８ａ，１８ｂの間に、側壁１２ａを残した形状の上下方向に延びる仕切部分からなるクリック係合部１９を設けている。開口部１８ａ，１８ｂは、開口部１７と同様、側壁１２ａの上下方向中央付近から上端まで達し、さらに上面部１１の内側途中まで連続して開口する切欠き形状に形成されている。そして、開口部１８ａよりも開口部１８ｂの方がそのＡ方向の長さ寸法が長く形成されている。これら開口部１８ａ，１８ｂとクリック係合部１９とは、摺動型物３０が収納部１３内の何れか一端にあるときに、弾発バネ２０の下記するクリック弾接部２１が一方の開口部１８ａ又は１８ｂ内に位置し、そこから摺動型物３０が収納部１３内の他端までスライド移動する間に、クリック弾接部２１がクリック係合部１９を乗り越えて他の開口部１８ｂ又は１８ａ内へ移動するような位置に設けられている。
【００１８】
次に、弾発手段である弾発バネ２０は、その板面を湾曲させる方向に撓ませると元の形状に復帰しようとする弾発力を生じる弾性金属製の板バネであって、全長に渡り一定の厚さ寸法Ｔ及び幅寸法Ｄの帯状に形成したものを、所定位置で折り曲げて構成されている。その形状は、一端の近傍に、略く字形に折り曲げられた突起状のクリック弾接部２１が形成され、該クリック弾接部２１の先が直線状に延伸する直線部２２で、直線部２２の先にクリック弾接部２１の突出方向と反対側に向かって略直角に屈曲する屈曲部２３が形成され、その先が短い直線状の直線部２４で、さらにその先がクリック弾接部２１の方へ戻りながら略半円弧状に湾曲する湾曲部２５になっていて、湾曲部２５の先にケース１０の当接部１５に当接される直線状の被当接部２６が形成され、その先に湾曲部２５と反対側に向かって略直角に屈曲する屈曲部２７が形成されて、屈曲部２７の先が他端まで直線部２２と平行な直線状に形成された直線部２８になっている。そして屈曲部２３とその両端に連接した各直線部２２，２４の一部とが、下記する摺動型物３０の弾発バネ係止部３３に係止される被係止部２９になっている。
【００１９】
ここで図２は、弾発バネ２０を取り付けた摺動型物３０を示す平面図である。同図及び図１に示すように、摺動型物３０は、合成樹脂の成型品で、所定の厚さ寸法を有する平板形状で、Ａ方向に平行な長手方向の側面３１ａ，３１ｂとＢ方向に平行な短手方向の側面３１ｃ，３１ｄを備えた略長方形状に形成されている。そして側面３１ａ，３１ｂそれぞれの両端には、摺動型物３０のスライド移動をガイドする突起状のガイド部３２が側面３１ａ，３１ｂからＢ方向に突出して形成され、摺動型物３０は、ケース１０の収納部１３内で側壁１２ａ，１２ｂにガイドされてＡ方向にスライド移動自在となるように構成されている。一方、摺動型物３０上面の一の隅の近傍には、弾発バネ２０の被係止部２９を係止させる五個の突起３３ａ〜３３ｅを備えた弾発バネ係止部３３が設けられている。弾発バネ係止部３３の二個の突起３３ａ，３３ｂは、共に四角柱状で摺動型物３０の側面３１ａに沿ってＡ方向に直線状に並べて配置され、これら二個の突起３３ａ，３３ｂの間のこれら突起３３ａ，３３ｂよりも側面３１ｂ側の位置に他の一の四角柱状の突起３３ｃが設置されている。突起３３ａ，３３ｂと突起３３ｃとの間にはＡ方向に向かう隙間３４ａが設けられ、そのＢ方向の幅寸法は弾発バネ２０の厚さ寸法Ｔと略同一の寸法に形成されている。また側面３１ｄに接する位置には、略円柱状の突起３３ｄが設置され、該突起３３ｄよりも側面３１ｃ側であってＢ方向に若干ずれた位置に、四角柱状の突起３３ｅが設置されている。突起３３ｄと突起３３ｅの間にはＢ方向に向かう隙間３４ｂが設けられ、そのＡ方向の幅寸法は弾発バネ２０の厚さ寸法Ｔと略同一の寸法に形成されている。
【００２０】
また、摺動型物３０の上面の側面３１ｃに接する位置には、Ｂ方向に所定間隔で設置された二個の突起３５ａ，３５ｂを備えた案内部３５が設けられている。突起３５ａ，３５ｂは、摺動型物３０に弾発バネ２０を取り付けた際に、弾発バネ２０の被当接部２６に対向する位置に設置されている。また、摺動型物３０をケース１０の収納部１３内に収納した際に、両突起３５ａ，３５ｂがケース１０の当接部１５を挟んでその両側（Ｂ方向の両側）に配置される。そして、一方の突起３５ａの外側には、Ａ方向を長手方向とする長方形の四角柱状の突起３６が設置され、突起３５ａと突起３６の間にＡ方向に延びる隙間であるガイド溝３７が形成されている。ガイド溝３７のＢ方向の幅寸法は、弾発バネ２０の厚さ寸法Ｔよりも若干大きな寸法に形成されている。一方、摺動型物３０の中央部付近には、下記する操作つまみ５０の固定部５３を取り付ける二個の貫通穴からなる取付固定部３８が形成され、下面の側面３１ｂの近傍位置には、摺動子４０を固定する二個の突起からなる固定部３９が設けられている。
【００２１】
次に、摺動子４０は、導電性を有する弾性金属板によって構成され、平板状の基部４１の一端から二本の摺動冊子４２を突出しこれらを下側に折り曲げて形成されている。基部４１には２個の貫通穴からなる取付固定部４３が設けられている。
【００２２】
操作つまみ５０は、合成樹脂で平板状に形成され、その上面中央に指などで操作する突起状の操作部５１が形成され、下面の所定位置に四角柱状の突起部５２が形成され、突起部５２の下面に下方に向かって突出する二個の突起状の固定部５３が形成されている。
【００２３】
静止側部材の一つであるフレキシブル回路基板６０は、可撓性を有する合成樹脂フイルム（ポリエチレンテレフタレートフイルム〔ＰＥＴフイルム〕等）製で、表面に図示しない回路パターンが形成されると共に、摺動子４０の摺動冊子４２が摺接する位置にスイッチパターン６１が形成されている。一方、ケース１０の各固定部１６に対向する位置には、矩形状の切欠きからなる取付固定部６２が形成されている。
【００２４】
静止側部材の一つである取付部材７０は、金属製あるいは合成樹脂製などの硬質板であり、フレキシブル回路基板６０の取付固定部６２に対向する位置に、取付固定部６２と同形状の切欠きからなる取付固定部７２を設けて構成されている。
【００２５】
次に、スライド式電子部品の組み立て手順を説明する。まず、摺動型物３０に弾発バネ２０を取り付ける。その手順を図２を参照して説明すると、弾発バネ２０の直線部２２を摺動型物３０の弾発バネ係止部３３の隙間３４ａに上方から差し込むと共に、直線部２４を隙間３４ｂに上方から差し込んで、直線部２２を突起３３ａ，３３ｂと突起３３ｃとに挟持させ、直線部２４を突起３３ｄと突起３３ｅとに挟持させる。さらに、湾曲部２５を湾曲させた状態にして、被当接部２６を案内部３５の突起３５ａ，３５ｂに対向させて配置し、さらに直線部２８をガイド溝３７内に挿入配置して、直線部２８の先端を摺動型物３０の側面３１ｃよりもＡ方向の外側に突出させて配置する。これにより、弾発バネ２０の被係止部２９（直線部２２、屈曲部２３、直線部２４）が、摺動型物３０の弾発バネ係止部３３（３３ａ〜３３ｅ）に係止されて、弾発バネ２０の直線部２２がＡ方向に平行な状態で設置される。そしてクリック弾接部２１が、Ａ方向で突起３３ａに隣接して配置されて、その突端部２１ａが摺動型物３０の側面３１ａよりもＢ方向の外側に突出する。また湾曲部２５が湾曲した状態で設置されて取付固定部３８の周囲を囲んで配置される。
【００２６】
次に、摺動型物３０に摺動子４０を取り付ける。この際、摺動型物３０の下面の固定部３９を摺動子４０の取付固定部４３に挿通させ、基部４１の下面側に突出した固定部３９の先端を熱カシメして固定する。そして、この弾発バネ２０と摺動子４０を取り付けた摺動型物３０を、ケース１０の下面側から収納部１３内に収納する。このとき、摺動型物３０の側面３１ａを上側にして側面３１ｂを下側にするようにＢ方向で傾けて収納部１３内に挿入することで、先に弾発バネ２０のクリック弾接部２１をケース１０の開口部１８ａ又は１８ｂに挿入してから摺動型物３０の全体を収納部１３内に収納する。またこのとき、弾発バネ２０の被当接部２６をケース１０の当接部１５より側壁１２ｄの側に位置させて収納する。次に、ケース１０の上面に操作つまみ５０を被せ、操作つまみ５０の固定部５３をケース１０の開口部１４を介して摺動型物３０の取付固定部３８に挿通し、摺動型物３０の下面側に突出した固定部５３の先端を熱カシメで固定することで、開口部１４の上下で操作つまみ５０と摺動型物３０を一体に固定する。一方、ケース１０の下面にフレキシブル回路基板６０と取付部材７０とをこの順番に重ねて取り付ける。この際、ケース１０の固定部１６を、フレキシブル回路基板６０の取付固定部６２と取付部材７０の取付固定部７２内に配置させ、取付部材７０の下面側に突出する固定部１６をそれぞれ内側に折り曲げることで、固定部１６にフレキシブル回路基板６０と取付部材７０とを把持させて固定する。以上により、スライド式電子部品の組み立てが完了する。
【００２７】
図３は、組み立てたスライド式電子部品を上方から見た斜視図である。なお同図及び以下の図４では、図示の都合上、操作つまみ５０を省略すると共に、ケース１０を点線で示している。図３に示すように、スライド式電子部品は、静止側部材であるケース１０内にスライド移動自在に摺動型物３０が設置され、図１に示す摺動型物３０に取り付けた摺動子４０とフレキシブル回路基板６０に形成したスイッチパターン６１とで、摺動型物３０のスライド移動により電気的出力が変化する電気的機能部が構成されている。また、摺動型物３０を所定位置に復帰させる弾発手段である弾発バネ２０が設置されている。弾発バネ２０は、弾性を有し撓ませることで弾発力を生じる板バネで、その一方の位置に摺動型物３０の弾発バネ係止部３３（３３ａ〜３３ｅ）に係止される被係止部２９が設けられ、他方の位置にケース１０の当接部１５を当接させる被当接部２６が設けられている。このスライド式電子部品は、摺動型物３０が収納部１３内の所定位置からスライド移動すると、弾発バネ２０の被当接部２６にケース１０の当接部１５が当接して弾発バネ２０の被係止部２９と被当接部２６との間の部分が撓むことで、摺動型物３０に前記の所定位置に復帰する力が働くようになっている。
【００２８】
また、弾発バネ２０にはクリック弾接部２１が設けられる一方、ケース１０には、摺動型物３０がスライド移動する際にこのクリック弾接部２１が弾接係合してクリック感覚を生じるクリック係合部１９が設けられていて、これらクリック弾接部２１とクリック係合部１９とでクリック係合手段が構成されている。また弾発バネ２０は、被係止部２９を挟んでその一方の側に被当接部２６が配置され、他方の側にクリック弾接部２１が配置されている。さらに弾発バネ２０は、被係止部２９と被当接部２６との間の部分である湾曲部２５が湾曲した状態で設置されている。
【００２９】
次に、図４の動作説明図を用いてスライド式電子部品の動作を説明する。まず、同図（ａ）に示す状態で、摺動型物３０がケース１０の収納部１３の略中央に位置し、弾発バネ２０のクリック弾接部２１がケース１０の開口部１８ｂ内の一端に配置されている。このときの摺動型物３０の位置を中立位置という。この中立位置では、クリック弾接部２１の側面がクリック係合部１９の側面に当接していると共に、弾発バネ２０の被当接部２６が、ケース１０の当接部１５と摺動型物３０の突起３５ａ，３５ｂの側面（側面３１ｄ側の側面）とに当接していることで、弾発バネ２０がケース１０に係止されていて、摺動型物３０は静止した状態になっている。この中立位置から、操作つまみ５０の操作部５１（図１参照）を操作して、摺動型物３０を図４の向かって右にスライド移動させると、同図（ｂ）に示すように、ケース１０の当接部１５が弾発バネ２０の被当接部２６に強く当接してこれを左方向に押すことで、被当接部２６の右への移動が規制されて弾発バネ２０の湾曲部２５が撓み弾発力が生じる。この弾発力に抗してさらに摺動型物３０を右に移動させると、摺動型物３０はその側面３１ｃが側壁１２ｃに当接する位置までスライド移動する。摺動型物３０のスライド移動により、図１に示す摺動子４０の摺動冊子４２がスイッチパターン６１上を摺接してスイッチのオンオフ出力が変化する。一方このとき、弾発バネ２０の湾曲部２５が撓み、その中間部分が膨らんで側面３１ｂの外側に突出するが、この膨らんだ部分はケース１０の開口部１７から突出して外に逃がされるので、ケース１０など他の部品に当たることはなく、摺動型物３０のスライド移動が妨げられない。また、直線部２８がガイド溝３７から図の左方向に抜けるように移動するが、同図（ｂ）に示すように摺動型物３０が最も右端までスライド移動したときでも、直線部２８はガイド溝３７から完全に抜けない十分な長さを備えて形成されている。したがって、直線部２８がガイド溝３７から抜けて弾発バネ２０が摺動型物３０から外れてしまうおそれがない。一方、操作つまみ５０をスライド移動させている力を取り除くと、弾発バネ２０がその弾発力により元の形状に復帰することで、摺動型物３０が同図（ａ）の中立位置に自動復帰して、スイッチのオンオフ出力が元の状態に戻る。
【００３０】
一方、同図（ａ）の中立位置から、摺動型物３０を図面の向かって左にスライド移動させると、同図（ｃ）に示すように、弾発バネ２０のクリック弾接部２１がケース１０のクリック係合部１９に乗り上げて、直線部２２の突起３３ｃよりもクリック弾接部２１側の部分が撓む。そして、クリック弾接部２１がクリック係合部１９を完全に乗り越える際に、操作者にクリック感覚が伝わり、同図（ｄ）に示すように、クリック弾接部２１が他の開口部１８ａ内へ移動して、摺動型物３０はその側面３１ｄが側壁１２ｄに当接する位置までスライド移動して停止する。この摺動型物３０のスライド移動により、図１に示す摺動子４０の摺動冊子４２がスイッチパターン６１上を摺接してスイッチのオンオフ出力が変化する。同図（ｄ）の位置で操作つまみ５０をスライド移動させている力を取り除いても、摺動型物３０はその位置で静止した状態に保持され、その出力状態が維持される。一方、同図（ｄ）に示す状態から、摺動型物３０を図面の向かって右にスライド移動させると、クリック弾接部２１がケース１０のクリック係合部１９を前記とは逆方向に乗り超えて、その際、操作者にクリック感覚が伝わる。そして、クリック弾接部２１が開口部１８ｂ内に配置されて摺動型物３０が同図（ａ）に示す中立位置に戻り、スイッチのオンオフ出力が元の状態に戻る。
【００３１】
以上説明した本実施形態のスライド式電子部品によれば、弾発バネ２０はその構造が簡単で摺動型物３０への取り付けが容易に行なえるので、スライド式電子部品の構造の簡素化、及び組み立ての簡単化を図ることができる。また、弾発手段に圧縮コイルバネを用いた場合よりもスライド式電子部品の外形の厚さ寸法を小さくすることができる。さらに、圧縮コイルバネのようにバネ端が他の部材に衝突するおそれがないので、スライド式電子部品の操作時に衝撃音が発生せずに済む。
【００３２】
また、弾発バネ２０にクリック弾接部２１を設けたことにより、従来は別部品であった弾発手段とクリック係合手段を一部品である弾発バネ２０だけで構成できるので、スライド式電子部品の部品点数を削減でき、その構造の簡素化、小型化、及び組み立ての簡単化を図ることができる。また弾発バネ２０は、被係止部２９を挟んでその一方の側に被当接部２６を配置し、他方の側にクリック弾接部２１を配置した構成なので、クリック係合手段によるクリック感覚を生じる動作と、弾発手段による摺動型物３０を所定位置に復帰させる動作とを、一部品である弾発バネ２０において被係止部２９を挟んでその両側でそれぞれ完全に独立した別の動作として行わせることが可能となり、スライド式電子部品の動きが良好になると共にその操作性が向上する。さらに弾発バネ２０は、被係止部２９と被当接部２６との間の湾曲部２５が湾曲した状態で設置されているので、その設置スペース（特にスライド方向の設置スペース）を節約でき、スライド式電子部品の小型化が図れる。
【００３３】
また、ケース１０に開口部１７を設けたことにより、摺動型物３０がスライド移動する際に、弾発バネ２０の湾曲部２５が撓んで外側に膨らんでも、その膨らんだ部分がケース１０に衝突することがないので、弾発バネ２０の湾曲部２５が撓むことが妨げられない。また、摺動型物３０がスライド移動して弾発バネ２０が撓んだ際に、弾発バネ２０の直線部２８が摺動型物３０のガイド溝３７から抜けないように構成したので、弾発バネ２０が摺動型物３０から外れることがない。
【００３４】
このスライド式電子部品では、弾発バネ２０の幅寸法Ｄや厚さ寸法Ｔを適宜に設定すれば所望の弾発力を備えた弾発バネ２０にできるので、摺動型物３０の復帰力やクリック弾接部２１の弾接力を所望の力に設定することが簡単に可能となり、操作感覚を自由に調節することができる。さらに上記の実施形態では、弾発バネ２０の幅寸法Ｄと厚さ寸法Ｔとをいずれもその全長に渡り一定としたが、弾発バネ２０は、その全長の途中で幅寸法Ｄや厚さ寸法Ｔが変化する形状に形成することも可能である。これにより所望の弾発力や強度を備えるように弾発バネ２０を構成することができ、摺動型物３０の復帰力や、クリック弾接部２１の弾接力をより所望の力に設定することが可能となる。また、湾曲部２５の湾曲具合を適宜に調節して設置することによって、弾発バネ２０に所望の弾発力を備えさせることも可能である。
【００３５】
〔第２実施形態〕
次に、本発明の第２実施形態にかかるスライド式電子部品を説明する。以下の本実施形態にかかる図面及びその説明においては、上記の第１実施形態と共通する構成部分には同一の符号を付す。なお以下で説明する事項以外の事項については、第１実施形態と同じである。図５は、本発明の第２実施形態にかかるスライド式電子部品が備える弾発バネ２０−２と摺動型物３０−２の構成を示す図で、第１実施形態の図２に相当する図である。本実施形態が、第１実施形態と相違する点は、弾発バネ２０にかえて、クリック弾接部２１を省略した構成の弾発バネ２０−２を備えた点と、弾発バネ２０−２を設置可能な形状に構成された摺動型物３０−２を備えた点と、図示は省略するが、ケース１０においてその開口部１８ａ，１８ｂとクリック係合部１９とを省略した点であり、それ以外のスライド式電子部品を構成する各部品の形状・構造は、図示していない部品も含めて第１実施形態のスライド式電子部品の各部品と同一である。
【００３６】
すなわち弾発バネ２０−２は、弾発バネ２０のクリック弾接部２１から屈曲部２３までの部分を省略し、これにかえて屈曲部２３とＡ方向の反対向きに屈曲する屈曲部２３−２を設け、その先に短い直線状の直線部２２−２を設けている。また、摺動型物３０−２は、摺動型物３０の弾発バネ係止部３３にかえて、突起３３ａ〜３３ｃを省略するかわりに弾発バネ２０−２の直線部２２−２を挟持する突起３３ｆ，３３ｇを設けて構成される弾発バネ係止部３３−２を備えている。突起３３ｆと突起３３ｇの間にはＡ方向に向かう隙間３４ｃが設けられ、そのＢ方向の幅寸法は弾発バネ２０の厚さ寸法Ｔと略同一の寸法に形成されている。そして、弾発バネ２０−２の直線部２２−２をこれら突起３３ｆと突起３３ｇとに挟持させ、直線部２４を突起３３ｄと突起３３ｅとに挟持させることで、弾発バネ係止部３３−２で被係止部２９−２を係止している。
【００３７】
本実施形態のスライド式電子部品の動作は、基本的には、第１実施形態のスライド式電子部品の図４（ａ），（ｂ）及びそれらの説明に示す動作と同じであり、弾発バネ２０−２の弾発手段としての機能により、摺動型物３０−２を中立位置に自動復帰させる。なお、摺動型物３０−２とケース１０を、同図（ａ）に示す中立位置に相当する位置において摺動型物３０−２の側面３１ｄがケース１０の側壁１２ｄに当接するような大きさ・形状に形成すれば、この中立位置で、摺動型物３０の側面３１ｄがケース１０の側壁１２ｄに当接すると共に弾発バネ２０−２の被当接部２６がケース１０の当接部１５に当接するので、ケース１０によって摺動型物３０が係止されて静止した状態を保つことができる。
【００３８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、上記実施形態の弾発バネ２０や弾発バネ２０−２の形状は一例であり、弾発バネ２０を折り曲げる位置や折り曲げる形状は実施形態に限定されず、他の位置で折り曲げたり、他の形状に折り曲げるなどして形成してもよい。また実施形態の弾発バネ２０は板バネであるが、弾発バネ２０は板状のものに限らず、棒状などの他の形状でもよいし、弾性を有し撓ませることで弾発力を生じるものであれば、その材質は金属製に限らず他の材質にすることも可能で、例えば可撓性を有する合成樹脂製の成型品で構成することもできる。
【００３９】
また、摺動型物３０に設けた弾発バネ係止部３３を構成する突起の数や形状は上記実施形態に限定されない。また、ケース１０は金属製に限らず、合成樹脂製の成型品などで構成してもよい。またフレキシブル回路基板６０にかえて、硬質の回路基板を用いることも可能である。その場合は、取付部材７０を省略することができ、硬質の回路基板を直接ケース１０の下面に取り付ければよい。
【００４０】
また、上記の各実施形態のスライド式電子部品は、スイッチパターン６１を備えたスライド式スイッチであるが、フレキシブル回路基板６０上にスイッチパターン６１にかえて抵抗体パターンを形成して、スライド式可変抵抗器とすることなども可能である。
【図面の簡単な説明】
【００４１】
【図１】本発明の第１実施形態にかかるスライド式電子部品を上方から見た分解斜視図である。
【図２】弾発バネ２０を取り付けた摺動型物３０を示す平面図である。
【図３】スライド式電子部品の外観構成を示す斜視図である。
【図４】スライド式電子部品の動作を説明するための図である。
【図５】本発明の第２実施形態にかかるスライド式電子部品が備える弾発バネ２０−２を取り付けた摺動型物３０−２を示す平面図である。
【図６】従来のスライド式電子部品の弾発手段の問題点を説明するための図である。
【符号の説明】
【００４２】
１０                  ケース
１３                  収納部
１４                  開口部
１５                  当接部
１７                  開口部
１８ａ，１８ｂ        開口部
１９                  クリック係合部
２０                  弾発バネ
２１                  クリック弾接部
２６                  被当接部
２９                  被係止部
３０                  摺動型物
３３                  弾発バネ係止部
４０                  摺動子
５０                  操作つまみ
６０                  フレキシブル回路基板
６１                  スイッチパターン
７０                  取付部材
【図１】
2006344514.tif 000003
【図２】
2006344514.tif 000004
【図３】
2006344514.tif 000005
【図４】
2006344514.tif 000006
【図５】
2006344514.tif 000007
【図６】
2006344514.tif 000008